(57)【要約】【課題】 遊技盤面に設けられる図柄表示装置のユニット枠に遊技球の受入口や球誘導路を設け、遊技球の転動落下に更に変化を持たせるパチンコ遊技機を提供すること。【解決手段】 図柄表示装置のユニット枠を構成する飾り縁１００に遊技球の球受入口１０６ａ、１０６ｂを設け、この球受入口１０６ａ、１０６ｂに受け入れられた遊技球がユニット枠内、或いは飾り縁１００とユニット取付部材２００との組み合わせで構成される第１及び第２球誘導路２０２，２０４，３００ａ、３００ｂを介してユニット枠の前面開口縁の球誘出皿１３４上に集められ、遊技盤１３面上に再び転動落下するようにした。球誘出皿１３４の後部には球押出部材２１８が設けられ、モータ２２０の駆動に応じて遊技球を球誘出皿１３４側へ押出した後、遊技盤１３面上へ転動落下する構成も備える。【選択図】    図４
2004202268.tif 000002
【特許請求の範囲】
【請求項１】
遊技盤面に図柄表示装置が設けられたパチンコ遊技機において、図柄表示装置のユニット枠に遊技盤面に向けて発射された遊技球を受け入れる球受入口が設けられると共に、該ユニット枠の周縁に前記球受入口より受け入れられた遊技球を該ユニット枠の下方中央部位へ誘導する第１の球誘導路と第２の球誘導路とが設けられ、該ユニット枠の下方中央部位には前記第１球誘導路を介して誘導された遊技球が導出される誘出皿が設けられると共に、該誘出皿の奥部には前記第２の球誘導路を介して誘導された遊技球を前記誘出皿上に導出された遊技球とともに遊技盤面上に流出落下させるモータにより駆動される球押出部材が設けられていることを特徴とするパチンコ遊技機。    
【発明の詳細な説明】
【技術分野】
【０００１】
本発明は、遊技盤面に図柄表示装置が設けられるパチンコ遊技機に関し、更に
詳しくは、その遊技盤面に設けられる図柄表示装置を構成するユニット枠に遊技
球の誘導機構部が設けられたパチンコ遊技機に関するものである。
【背景技術】
【０００２】
近年、パチンコ遊技機においては、特別及び普通図柄表示装置等が設けられた
フィーバータイプの機種が主流を占めている。このフィーバータイプの機種は所
定ゲート（若しくは入賞口）を遊技球が通過すると普通図柄表示装置が変動を開
始し、その表示図柄が「当たり」図柄を表示すれば第１種始動口が開口する。こ
の第１種始動口に遊技球が入賞すると特別図柄表示装置が変動し、所定図柄が表
示されれば「大当たり」と称される遊技状況が発生し大入賞口が開口されるもの
である。この様な遊技機においては、図柄表示装置に「当たり」図柄が表示され
るか否か、つまり「当たり」か「外れ」かにのみ興味がいき関心が集まることに
なる。
【発明の開示】
【発明が解決しようとする課題】
【０００３】
従って、遊技球が所定ゲートを通過して表示図柄が「当たり」図柄を表示し、
結果「大当たり」が発生すれば良いが、「大当たり」が発生しない場合は遊興性
に欠け、飽きがきやすいという問題があった。又、図柄表示装置の表示画面から
発せられる情報報知や装飾効果が、表示画面周辺に到来する遊技球によって阻害
され見えにくくなってしまうという不具合を生じていた。
【０００４】
本発明の解決しようとする課題は、遊技盤面に設けられる図柄表示装置を単に
「当たり」「外れ」にのみ興味が集中するに留まらず、遊技盤面を転動する遊技
球を図柄表示装置のユニット枠に設けられる球誘出手段を介して遊技盤面に転動
落下させることにより、一層遊興性に富み、又、図柄表示装置から発せられる情
報表示や装飾表示が遊技球に阻害されることを防止することが可能なパチンコ遊
技機を提供することにある。
【課題を解決するための手段】
【０００５】
この課題を解決するために本発明に係るパチンコ遊技機は、遊技盤面に図柄表
示装置が設けられたパチンコ遊技機において、図柄表示装置のユニット枠に遊技
盤面に向けて発射された遊技球を受け入れる球受入口が設けられると共に、該ユ
ニット枠の周縁に前記球受入口より受け入れられた遊技球を該ユニット枠の下方
中央部位へ誘導する第１の球誘導路と第２の球誘導路とが設けられ、該ユニット
枠の下方中央部位には、前記第１球誘導路を介して誘導された遊技球が導出され
る誘出皿が設けられると共に、該誘出皿の奥部には前記第２の球誘導路を介して
誘導された遊技球を前記誘出皿上に導出された遊技球とともに遊技盤面上に流出
落下させるモータにより駆動される球押出部材が設けられていることを要旨とす
るものである。
【０００６】
このようなパチンコ遊技機によれば、遊技盤面上における遊技球の落下位置や
落下方向が無作為に変動されることになり、所定ゲートへの通過や特定の入賞口
への入賞といったように、新たな遊技状況の発生が期待できる。そして又、遊技
球は図柄表示装置のユニット枠を介することから、該図柄表示装置の表示画面上
を通過することかなくなり情報表示や装飾表示が遊技球によって阻害されること
も回避される。
【発明の効果】
【０００７】
而して本発明の請求項１に記載のパチンコ遊技機によれば、遊技盤面に設けら
れる図柄表示装置のユニット枠に設けられる球受入口に遊技球が入ると、その遊
技球は該ユニット枠内に設けられる第１の球誘導路と第２の球誘導路を通ってユ
ニット枠の下方中央部位に誘導され、第１球誘導路を介して誘導された遊技球が
導出される誘出皿が設けられると共に、該誘出皿の奥部には前記誘出皿上に導出
された遊技球とともに、モータにより駆動される球押出部材によって流出落下さ
れ遊技盤面上へ導出されるのであるから、遊技盤面上へ導出された遊技球は特定
の入賞口（例えば第１種始動入賞口）に入賞することもあれば他入賞口へ入賞す
ることもあり、その落下方向は無作為に変動され新たな遊技状況の発生に遊技者
は期待感を高めつつ遊技を楽しむことになる。
【発明を実施するための最良の形態】
【０００８】
以下、本発明の好適な一実施の形態を図面を参照して説明する。図１は、本実
施例に係るパチンコ遊技機の正面図を示したものである。パチンコ遊技機１０は
、遊技機前面部のベースとなる遊技機枠１１を備え、その遊技機枠１１の額縁状
に形成された開口内周縁には金枠１２が嵌められると共に、その金枠１２には遊
技盤１３の前面を覆うガラス扉１４が開閉可能に設けられる。
【０００９】
そしてガラス扉１４の下方位置には、打球発射装置に供給される遊技球を貯留
するための受け皿（上受け皿）１５が取り付けられ、更にその下方には、賞品球
（以下「賞球」という）の排出時に上受け皿１５から溢れた球を貯留するための
球受け皿（下受け皿）１６が設けられている。尚、上受け皿１５に設けられる球
抜きボタン１７の操作により上受け皿１５内の遊技球が下受け皿１６に向けて抜
き落とされ、この下球受け皿１６に貯留した遊技球を遊技機外部に排出する場合
は、下球受け皿１６の前面部に設けられた球抜きスライドボタン１８を操作する
。
【００１０】
前記遊技機枠１１の下方に位置する下受け皿１６の図中右側位置には、遊技球
を遊技盤１３面に向けて弾発発射する発射レバー２０が設けられ、該発射レバー
２０には遊技球を一球毎に発射する為の単発スイッチ２１が備えられる。この発
射レバー２０の回動操作する量に応じて遊技球を遊技盤１３面に向けて弾発発射
する程度が調整されるとともに、所定回動位置の検出により発射電源が投入され
るようになっている。
【００１１】
前記遊技機枠１１の上辺縁から図中右側辺縁には、合成樹脂製のレンズ体で構
成される枠トップ飾り２２が設けられ、この枠トップ飾り２２の内部には、枠飾
りランプ２３，２３…や前記ガラス扉１４開閉用の鍵穴２４の周囲を飾る鍵飾り
ランプ２５が設けられている。
【００１２】
パチンコ遊技機１０の一側には、プリペイドカードによる玉貸機（以下、「プ
リペイドカードユニット」と称する）３０が設置される。このプリペイドカード
ユニット３０は、１台の遊技機に１台づつ設置される。このプリペイドカードユ
ニット３０の設置に対応してパチンコ遊技機１０の前記上受け皿１５には、プリ
ペイドカードによる遊技球の貸出し操作を行う為の球貸し操作部３１が設けられ
、この球貸し操作部３１には、プリペイドカードによる球貸出しを操作する球貸
出しボタン３２、その球貸出しの可能状態を示す球貸出しボタンランプ３３、プ
リペイドカードを排出させるカード返却ボタン３４、プリペイドカードの残高表
示、及びエラー表示を行う度数表示部３５等が備えられている。
【００１３】
プリペイドカードの使用に際しては、プリペイドカードユニット３０に備えら
れるカード利用可表示ランプ３６の点灯中にカード挿入口３７にプリペイドカー
ドを挿入し、金額設定ボタン３８を操作することにより、貸出し金額（１００円
、２００円、３００円、５００円等）を選択することができる。前記上受け皿１
５に備えられる球貸し操作部３１の球貸出しボタン３２を操作することにより、
予め選択された金額の遊技球が貸出されることになる。
【００１４】
前記遊技機枠１１の前面に設けられる遊技盤１３は、遊技板に装着された金属
製の内レール４０、打球発射位置より弾発発射された遊技球を盤面に向けて誘導
する為の外レール４１、遊技盤１３面上に発射された遊技球が跳ね返り作用によ
り再び発射レールや打球発射位置に戻ることを防止するファール止４２、発射さ
れた遊技球を遊技盤１３面の下方に落下させる返しゴム４３等によりその周囲が
構成され、その内側に遊技領域が形成される。
【００１５】
図２は遊技盤１３面を示したものである。遊技盤１３の遊技領域中央部には、
図柄表示装置の一様態である特別図柄表示装置５０が設けられ、その中央部に特
別図柄表示部（表示面部５０Ａ、中図柄表示部５０ａ、左図柄表示部５０ｂ、右
図柄表示部５０ｃ）が設けられる。この特別図柄表示装置５０の変動回数は最大
４個まで記憶され、記憶回数分の変動を繰り返して行う。又、特別図柄表示装置
５０の直下位置には普通電動役物である第１種始動入賞口５１が設けられ、更に
その下方位置に通常は閉じている第１種特別電動役物である大入賞口５２と、該
大入賞口５２が開口された時に入賞可能となる特定領域入賞口５３とを備える。
【００１６】
この特定領域入賞口５３の左右には普通入賞口である左落し入賞口５４、右落
し入賞口５５が設けられ、遊技球の入賞に応じて所定数の賞球が払出される。更
に前記特別図柄表示装置５０の上部には７セグメントデジタル表示の普通図柄表
示装置６４が設けられ、更に特別図柄表示装置５０の左右には左袖入賞口６１、
右袖入賞口６２が備えられる。これらの入賞口に遊技球が入賞すると各入賞口毎
に設定された賞球が遊技者に払出されるようになっている。
【００１７】
前記特別図柄表示装置５０の左側には遊技球が通過可能なゲート６３が備えら
れ、遊技球が通過する毎に前記普通図柄表示装置６４の普通図柄が変動を開始す
る。ここでゲート６３を通過した遊技球はカウントされ、最大４個まで記憶され
る。また、弾発発射された遊技球が落下する方向を無作為に変更させたり、遊技
球の流下速度及び方向を変化させる風車７０及びランプ風車７１、袖下飾り７２
が設けられる。更に特別図柄表示装置５０の右側には球受入口７３が設けられ、
この球受入口に入った遊技球は遊技盤１３の背面に設けられる球誘導路を通って
特別図柄表示装置５０の前面に誘導されるようになっている。
【００１８】
遊技者によって弾発発射された遊技球は、遊技盤１３面上の遊技領域内で転動
しつつ落下し、上記各入賞口に入賞するか遊技域最下部に開口された排出口７４
にて遊技盤１３から排出される。尚、前記ゲート６３は、遊技球が通過したとき
に賞球（例えば６個）が払出されるようにしてもよい。
【００１９】
また、遊技盤１３面上には各種ランプが付設されている。そのうちの１つ、遊
技盤１３の左右にはサイドランプ８０が設けられ、遊技機への電源投入と同時に
点灯滅を行う。このランプ類は前記風車７０及びランプ風車７１、左右袖入賞口
６１，６２等の各入賞装置並びに遊技盤１３面上及びその周囲にも付設され、遊
技の演出効果を高めるために点灯滅を行う。更に遊技盤１３の遊技領域の外側上
部には、賞球の払出し動作時に点灯滅駆動を行う球払出しＬＥＤ８１、タンクや
タンクレール上の遊技球が所定量以下になったとき点灯滅し、その旨を表示する
球切れＬＥＤ８２が備えられている。
【００２０】
このように遊技盤１３面には多様な装置類が設けられる。そして遊技者によっ
て弾発発射された遊技球は、遊技盤１３面上を転動しつつ落下していく。この落
下途中で左右袖入賞口６１、６２等の普通入賞口に入賞すると、所定個数の賞球
が払出され、ゲート６３を通過すると普通図柄表示装置６４が変動を開始し、停
止した図柄が「当たり」図柄であった場合は第１種始動入賞口５１が開口する。
この開口中に遊技球が第一種始動入賞口５１に入賞すると特別図柄表示装置５０
が変動を開始するが、普通図柄表示装置６４に表示された図柄が「外れ」若しく
は第１種始動入賞口５１に遊技球が入賞しなければ、遊技状況は変化しない。こ
の特別図柄表示装置５０（５０ａ、５０ｂ、５０ｃ）の変動が終了し全て同じ図
柄、いわゆる「大当たり」図柄を表示すると大入賞口５２が一定時間開口し、そ
の間により多くの遊技球を入賞させることによって多量の賞球を得ることができ
る。又、大入賞口５２に設けられる特定領域入賞口５３に遊技球が入賞すると、
入賞口５２の開口が連続して発生し、いわゆる「連チャン」動作が発生する。
【００２１】
図３は、特別図柄表示装置５０のユニット枠である飾り縁１００の正面図を示
し、図４はその分解斜視図を示している。飾り縁１００は、この図柄表示装置の
ユニット枠が遊技盤１３の中央位置に取り付けられるべく遊技板の中央開口縁内
側に装着される本体枠１３０と、この本体枠１３０の前面側に前部補助枠１２０
を介して一体的に取り付けられる前面装飾枠１０２と、前記本体枠１３０の背面
側にやはり一体的に取り付けられる後部補助枠１４０と、この後部補助枠１４０
の背面側に固定して取り付けられる固定枠１７０とにより構成される。
【００２２】
前記本体枠１３０は、ネジ孔１３１を介してネジ止めすることにより遊技板に
取り付けられ、前面装飾枠１０２は、前部補助枠１２０を本体枠１３０に補助枠
ネジ孔部１２４の前面からネジ１２５を用いて固定した後、本体枠１３０フレー
ムの背面側からネジ止めすることによって一体的に取り付けられる。又、後部補
助枠１４０は、前記本体枠１３０にやはりネジ止めされ、更に前記固定枠１７０
は後部補助枠１４０にネジ止めされ固定される。該固定枠１７０の中央方形状を
した空洞部分には特別図柄表示装置５０が取り付けられ、該固定枠１７０の上部
に設けられた楕円形状の開口部１７４には普通図柄表示装置６４が取り付けられ
るようになっている。
【００２３】
この飾り縁１００の中央部分は、前記特別図柄表示装置５０に表示される図柄
を遊技者が視認可能なように空洞であり、該本体枠１３０に取り付けられる前記
前面装飾枠１３０には普通図柄表示装置６４に表示される図柄を遊技者が視認可
能なように、やはり空洞な普通図柄表示開口部１０４が設けられる。そして該前
面装飾枠１０２の上面左右位置には遊技盤１３面上に発射された遊技球が入るこ
とが可能な球受入口１０６ａ、１０６ｂが設けられると共に、球受入口１０６ａ
、１０６ｂを介して普通図柄表示開口部１０４内に入った遊技球を一旦受け止め
た後、後方向へ誘導する中央案内路１１２が設けられる。この中央案内路１１２
の奥側には、左右両側に設けられた仕切片１１０，１１０の間隙を介して第１の
球誘導経路である上部案内部材１４４ａ、１４４ｂが設けられ、更に奥側には、
やはり左右一対からなる案内部材仕切壁１４６、１４６の間隙を介して第２の球
誘導経路である左右の振分誘導路１７６ａ、１７６ｂが前記固定枠１７０の前面
に設けられている。
【００２４】
第１の球誘導経路である上部案内部材１４４ａ、１４４ｂを介する球経路は、
図７にその断面図を示したように、前記中央案内路１１２に一旦受け止められた
遊技球を直接第２の球誘導経路である固定枠１７０方向へ案内する凹窪状の球誘
導溝１４２が設けられ、その左右両側には下向き傾斜状の上部案内部材１４４ａ
、１４４ｂが延設され、更に各々の下端には前記本体枠１３０と前部補助枠１２
０と後部補助枠１４０の側枠部材１４８とによって形成された第１球流下樋３０
０ａ、３００ｂが連設される。そして該流下樋３００ａ、３００ｂの下端には、
流下した遊技球を前記本体枠１３０の下方部中央に設けられた球誘出皿１３４上
に向けて導出する第１導出口３０２ａ、３０２ｂが設けられる。この第１導出口
３０２ａ、３０２ｂから球誘出皿１３４に至る球誘導路１３２ａ、１３２ｂは、
球誘出皿１３４上に遊技球が集合するように緩やかな湾曲形状をもって形成され
、その左右壁面には遊技球が途中でこぼれ落ちないように球誘導路仕切壁１３６
が設けられる。尚、前記した第１球流下樋３００ａ、３００ｂの内側面には、前
記後部補助枠１４０の側枠部材１４８に突設される緩衝部材１５０によって遊技
球の流下速度が和らげられるように配慮されている。
【００２５】
次に、前記した第２の球誘導経路である振分誘導路１７６ａ、１７６ｂを介す
る遊技球の通過路については、図５及び図６に示したユニット取付部材によって
構成されることから、ユニット取付部材を先に説明する。図５は前記図柄表示装
置のユニット枠を構成する飾り縁１００が取り付けられるユニット取付部材２０
０の正面図を示し、図６はその図柄表示装置のユニット枠の飾り縁１００とユニ
ット取付部材２００との関係を示す分解斜視図である。
【００２６】
このユニット取付部材２００は、プラスチック製の型枠の中央部分が前記図柄
表示装置ユニットの飾り縁１００をはめ込むために、飾り縁１００の外郭形状に
沿って空洞になっている。そして該ユニット取付部材２００の左右両側枠部分に
は、後部補助枠１４０の側枠部材１４８背面に突設されるボスを差し込むための
ボス孔２０５が設けられる。このボス孔２０５にボスを差し込み、背面側からネ
ジ止めすることによって、このユニット取付部材２００と図柄表示装置ユニット
の飾り縁１００とが一体的に取り付けられる。
【００２７】
図８に第２の球誘導路を断面図にて示す。第２の球誘導路は、振分誘導路１７
６ａ、１７６ｂからユニット取付部材２００に設けられた第２球流下樋２０２、
２０４によって構成される。尚、第２球流下樋２０４の下方には、遊技盤１３面
に設けられる球受入口７３に受け入れられた遊技球をこの図柄表示装置のユニッ
ト枠に誘導する第３球誘導路２１２も設けられている。前記第２球流下樋２０２
を介した遊技球は、第２導出口２０６に連設された後部補助枠１４０の上導出口
１５２ａから導出され、第２球流下樋２０４を介した遊技球は第２導出口２０８
を経て上導出口１５２ｂから導出される。これらの導出口から導出した遊技球は
、詳細な構成は後述する球誘出手段の一例である球押出部材２１８上に集合する
ようになっている。尚、遊技盤１３面の球受入口７３より第３球誘導路２１２を
介して誘導されてきた遊技球は、第３導出口２１６を経て半円弧形状を有する下
導出口１５４から球誘導路１３２ｂを介して球誘出皿１３４へ導出されるように
構成されている。
【００２８】
図９は、ユニット取付部材２００に設けられた球押出部材２１８の構成（(ａ)
押上動作前、(ｂ)押上動作後）を示した図である。球押出部材２１８は、ユニッ
ト取付部材２００の型枠下辺上面の中央位置に半円形状を有し、軸２５０を介し
て上下に揺動自在に設けられる。この球押出部材２１８の下側には、該球押出作
動部材２１８を上下動作させるモータ２２０が取り付けられると共に、該モータ
２２０の回転軸に水平面内で旋回動する押上作動部材２５２が取り付けられる。
一方、前記球押出部材２１８の下面には重下片２５３が設けられ、モータ２２０
の駆動に伴って該押上作動部材２５２が旋回動して、該押上前作動部材２５２に
より重下片２５３が押上げられることにより記球押出作動部材２１８が周期的に
上下するように構成されている。
【００２９】
図１０は、図６にて示した図柄表示装置ユニットの飾り縁１００とユニット取
付部材２００を組み付けた状態における遊技球の通過路を示した外観斜視図であ
る。図中に示す矢印は、前記前面装飾枠１０２に設けられる球受入口１０６ａ、
１０６ｂに遊技球が受け入れられた場合の遊技球が通過可能な通路を示している
。尚、波線矢印にて示した通過路は、遊技盤１３面の球受入口７３に入球した遊
技球が通過可能な通路である。球受入口１０６ａ及び１０６ｂから受け入れられ
た遊技球は、中央案内路１１２に集められ、後方に設けられた球誘導溝１４２へ
と誘導される。そして球誘導溝１４２上から第１球流下樋３００ａ、３００ｂの
どちらか、若しくは第２球流下樋２０２、２０４のどれかを介して球誘出皿１３
４へと導出される。ここで遊技球がどの流下樋を経由するかは、球受入口１０６
ａ、１０６ｂへ遊技球が入ったときの流速や角度等によって異なることから、無
作為に転動する。
【００３０】
図１１は、図９にて示した球押出作動部材の動作を示し、（ａ）は球押出部材
２１８が押出動作を行う以前の状態を示し、（ｂ）は押出動作以後の状態を示し
ている。（ａ）に示すように、球押出部材２１８が動作していない場合は、半円
形状の円周部分は下方向に下がり、それによって球誘出皿１３４との間に段差が
生じることから、遊技球は球押出部材２１８上で係留されることになる。この係
留時間は、モータ２２０が稼動するまでの間であり、モータ２２０は一定時間毎
に稼動と停止の繰り返し動作を継続している。そのため球押出部材２１８もモー
タ２２０の稼動に伴って一定時間毎に上下稼動を繰り返すことになる。
【００３１】
前記モータ２２０の稼動に伴って球押出部材２１８が稼動し、図１１（ａ）に
示した球押出部材２１８の円周部分が上方向に持ち上がると、それまで球誘出皿
１３４と球押出部材２１８との段差によって係留されていた遊技球は前方向に向
かって流出する。この流出した遊技球は球誘出皿１３４を横断して飾り縁１００
外に導出され、再度遊技盤１３面上へと導出されることになる。そしてモータ２
２０が停止すると球押出部材２１８は図１１（ａ）に示したように球誘出皿１３
４との間に段差を生じる位置まで下がり、上記動作を交互に繰り返す。
【００３２】
本発明は、上記した実施の形態に何ら限定されるものではなく、本発明の趣旨
を逸脱しない範囲で種々の改変が可能である。例えば、飾り縁及びユニット取付
部材の構成及び遊技球が通過する通路や形状の変更、また、遊技盤面上に設けら
れる入賞口等との位置的関係及びその方法、そして定期的に稼動停止を繰り返す
ソレノイドの稼動に条件を付加し球押出部材の上下稼動を不定期的にする等の追
加変更は適宜可能であり、それによって遊技盤面上の遊技球の落下先が把握しに
くくなり遊興性が増す。
【００３３】
又、図柄表示装置における表示面部に対しては、まれに遊技盤面を移動する遊
技球が転動落下する場合もあるが、この様な球の落下経路を介して図柄表示装置
に到来した遊技球を該図柄表示装置より遊技盤面に向けた球押出部材２１８より
誘出することによってパチンコ遊技機の遊技性を高め趣向感を増強することが実
現できる。
【００３４】
更に実施の形態によっては、図柄表示装置の表示面下方、底辺を被う状態で球
誘導路１３２ｂや遊技球の載置面（球誘出皿１３４）が形成される図柄表示装置
にあっては、誘導され載置される当該遊技球が図柄表示装置の表面部において表
示される情報や装飾を部分的に隠す状態を生じるが、球押出部材を当該図柄表示
装置に設けることによって情報伝達や装飾機能の阻害（場合によっては当たり外
れの識別作用の阻害）をする遊技球を直ちに遊技盤１３面に誘出できる。
【００３５】
尚、上記実施の形態においては、球誘出皿１３４より一段奥まった図柄表示装
置の枠下部底面に球押出部材２１８を設けた構造として説明したが、球誘出皿１
３４部に球押出部材２１８を設ける構造としても良い。更に図柄表示装置の周辺
外周に第１球流下樋３００ａ、３００ｂ及び第２球流下樋２０４を設ける構造を
示したが、この何れか若しくは双方を取り除く構造として、遊技盤面から球押出
部材に到来した遊技球を迅速に再び遊技盤面に誘出する構造として技術思想の中
心部を残した構成をとることは勿論である。
【図面の簡単な説明】
【００３６】
【図１】本発明の一実施の形態におけるパチンコ遊技機の正面図である。
【図２】本遊技機における遊技盤の正面図である。
【図３】本遊技機における図柄表示装置ユニットの飾り縁の正面図である。
【図４】図３に示した飾り縁の分解斜視図である。
【図５】図３に示した図柄表示装置ユニットの飾り縁が取付けられるユニット取付部材の正面図である。
【図６】図３及び図４に示した図柄表示装置ユニットの飾り縁とユニット取付部材との分解斜視図である。
【図７】飾り縁の前面装飾枠の球受入口に入った遊技球の第一の流出経路を示す断面図である。
【図８】図７に示す飾り縁の第２の流出経路を示す断面図である。
【図９】ユニット取付部材の下方位置に設けられた球押出作動部材の動作機構を示した図である。
【図１０】図６に示した図柄表示装置ユニットの飾り縁とユニット取付部材とを組み付けた状態で遊技球の通過路を示した外観斜視図である。
【図１１】図１０に示した球押出作動部材の動作を示した図である。
【符号の説明】
【００３７】
５０    特別図柄表示装置
５０Ａ  表示面部
６４    普通図柄表示装置
１００    飾り縁（ユニット枠）
１１２    中央案内路
１３４    球誘出皿
１４４ａ  上部案内部材
１４４ｂ  上部案内部材
１７６ａ  振分誘導路
１７６ｂ  振分誘導路
２００    ユニット取付部材
２０２    第２球流下樋
２０４    第２球流下樋
２１８    球押出部材
２２０    モータ
３００ａ  第１球流下樋
３００ｂ  第１球流下樋
【図１】
2004202268.tif 000003
【図２】
2004202268.tif 000004
【図３】
2004202268.tif 000005
【図４】
2004202268.tif 000006
【図５】
2004202268.tif 000007
【図６】
2004202268.tif 000008
【図７】
2004202268.tif 000009
【図８】
2004202268.tif 000010
【図９】
2004202268.tif 000011
【図１０】
2004202268.tif 000012
【図１１】
2004202268.tif 000013